(57)【特許請求の範囲】
【請求項１】
送液管を通ってその先端に配置された回転案内溝を通過した液体が、上記回転案内溝の先側に形成された液体回転室内で中心軸線周りに回転し、上記液体回転室の先端面の中央に形成された噴出孔から前方に噴出するようにした内視鏡用噴霧具において、
上記噴出孔から噴出した液体を側方に向けて軸線周りに全周方向に向かって放射状に反射させるために上記噴出孔の前方に配置された液体反射部材が、その外縁部の複数箇所から後方に延出する連結アームにより上記液体回転室の外壁側に着脱自在に連結されていることを特徴とする内視鏡用噴霧具。
【請求項２】
上記連結アームの突端部分に、内方に向かって突出する突起が形成されていて、上記連結アームを弾性変形させることにより上記突起を上記液体回転室の外壁側に係脱させることができる請求項１記載の内視鏡用噴霧具。
【発明の詳細な説明】
【０００１】
【発明の属する技術分野】
この発明は、体腔内に液体を噴霧するために内視鏡の処置具挿通チャンネルに挿通して使用される内視鏡用噴霧具に関する。
【０００２】
【従来の技術】
図９は従来の内視鏡用噴霧具を示しており、内視鏡の処置具挿通チャンネルに挿脱される可撓性の送液管９１の先端開口部に、外周面に螺旋溝９３が形成されたスクリュー体９２が配置されている。
【０００３】
螺旋溝９３の外面を塞ぐ状態にスクリュー体９２に被せられた先端キャップ９４の内側には、送液管９１から螺旋溝９３を通ってその先端から放出された液体が軸線周りに回転をするように、スクリュー体９２の先端面との間に液体回転室９５が形成されている。
【０００４】
液体回転室９５の先端面の中心位置には噴出孔９６が形成されており、さらに液体回転室９５の外周壁には、周方向に間隔をあけて複数の側孔９７が穿設されている。
【０００５】
このような構成により、送液管９１を通って後方から送られてきた薬液や色素液等のような液体が、噴出孔９６から前方へある程度の広がりをもって噴霧されるのと同時に、側孔９７から側方に向かって散布される。
【０００６】
【発明が解決しようとする課題】
しかし、その側方への散布状態は、図１０に示されるように単純な噴出流であり、側方に向かって放射状にまんべんなく噴霧することはできない。そのため、経内視鏡的に例えば大腸等のような管腔壁に対して液体を一様に噴霧するのは困難であった。
【０００７】
そこで本発明は、経内視鏡的に大腸の内壁面等のような管腔壁に対して液体を一様に噴霧することができる内視鏡用噴霧具を提供することを目的とする。
【０００８】
【課題を解決するための手段】
上記の目的を達成するため、本発明の内視鏡用噴霧具は、送液管を通ってその先端に配置された回転案内溝を通過した液体が、回転案内溝の先側に形成された液体回転室内で中心軸線周りに回転し、液体回転室の先端面の中央に形成された噴出孔から噴出するようにした内視鏡用噴霧具において、噴出孔から前方に噴出した液体を側方に向けて軸線周りに放射状に反射させるための液体反射部材を、噴出孔の前方に配置したものである。
【０００９】
液体反射部材が、液体回転室内から噴出孔内を通って前方に突出して配置された連結部材の先端に設けられていてもよく、液体反射部材が、液体回転室の外周壁部から前方に突出して配置された連結部材の先端に設けられていてもよい。また、液体反射部材が単独で又は連結部材と共に着脱自在であってもよい。
【００１０】
【発明の実施の形態】
図面を参照して本発明の実施の形態を説明する。
図２は、本発明の第１の実施の形態の内視鏡用噴霧具を示しており、先端ノズル１が、図示されていない内視鏡の処置具挿通チャンネルに挿脱自在な例えば四フッ化エチレン樹脂製の可撓性チューブからなる送液管２の先端に取り付けられている。
【００１１】
送液管２の基端に接続された注入口金３には、図示されていない注射筒等を接続することができ、薬液や色素液等を送液管２内を通って先端ノズル１へ送り込むことができる。
【００１２】
図１は先端ノズル１の構造を示しており、ノズル本体１１の後端部分の外周面に形成された雄ネジ部１３が送液管２の先端にねじ込み接着されて、ノズル本体１１が送液管２の先端に連結固着されている。
【００１３】
ノズル本体１１の先側半部の外周面には、螺旋溝１２が形成されている。螺旋溝１２は、２条又は３条に形成されているが、１条であっても差し支えなく、４条以上であってもよい。
【００１４】
ノズル本体１１の後半部分には、後端面に開口して送液管２内に連通する流路孔１４が形成されており、ノズル本体１１の中間部分の外周面に形成された円周溝２２と流路孔１４とが、連通孔２３を介して連通している。
【００１５】
ノズル本体１１の先側半部には、先端キャップ１６が被せられており、それによって螺旋溝１２の外面が塞がれている。したがって、螺旋溝１２は前端と後端を除く内外両面が塞がれた閉鎖溝になっている。なお、先端キャップ１６は後端部分が内方にかしめられて、ノズル本体１１に対して固定されている。
【００１６】
ノズル本体１１の先端面と先端キャップ１６の先端壁との間には、螺旋溝１２の前端が開口する液体回転室２０が形成されており、螺旋溝１２を通ってその先端側から放出された液体が液体回転室２０内で軸線周りに回転をする。そして、先端キャップ１６の先端面の中心位置に噴出孔１７が貫通形成されている。
【００１７】
液体回転室２０は、噴出孔１７側へ凸の円錐状の空間として形成されており、その外周面は螺旋溝１２の外縁と一致する円形である。液体回転室２０の後端壁を形成するノズル本体１１の先端面は円錐面になっており、液体回転室２０の前端壁を形成する先端キャップ１６の内壁面がそれとほぼ平行に形成されている。
【００１８】
噴出孔１７に対向してその前方には、噴出孔１７から噴出した液体を側方に向けて反射させるための液体反射部材３０が配置されている。噴出孔１７は、後面が緩やかな円錐面状の円盤状に形成され、先端キャップ１６の外径と同程度の直径を有している。
【００１９】
液体反射部材３０をその位置に配置するために、ノズル本体１１の先端中心から前方に向かって突出形成された連結棒２５が、液体回転室２０内から噴出孔１７内を通過して前方に突出しており、液体反射部材３０が軸線位置で連結棒２５に嵌合及び螺合している。したがって、液体反射部材３０は連結棒２５に対して単独で着脱可能である。
【００２０】
この実施の形態においては、先端キャップ１６の先端面が緩やかな円錐面に形成されている。したがって、先端キャップ１６の先端面と液体反射部材３０の後面との間の部分２７は、断面形状がＶ字状の円周溝状になっている。
【００２１】
このように構成された内視鏡用噴霧具においては、送液管２に手元側から送り込まれた薬液や色素液等の液体が、螺旋溝１２の溝方向に従って斜め前方に向けて液体回転室２０内に噴出され、軸線周りに回転して広がりながら噴出孔１７から前方に噴出する。そして、噴出孔１７から噴出した液体は液体反射部材３０の後面にぶつかって側方に反射され、大きく広がりながら３６０°全周方向に放射状に噴霧される。
【００２２】
したがって、送液管２を内視鏡の処置具挿通チャンネルに通して、経内視鏡的に大腸の内壁面等のような管腔壁に向かって容易に液体散布を行うことができ、管腔壁全体に対してむらなく一様に散布することができる。
【００２３】
図３は、本発明の第２の実施の形態の内視鏡用噴霧具の先端部分を示しており、外周面に螺旋溝１２が形成されたスクリュー体１０が先端キャップ１６内に配置されていて、液体回転室２０内に送り出される液体に軸線周りの回転力が与えられるようになっている。
【００２４】
そして、この実施の形態においては、図４にも単独で示されるように、液体反射部材３０の外縁部から後方に向かって複数の（例えば３〜８本程度の）連結アーム３１が突設されていて、その突端部分には内方に向かって突出する突起３２が形成されている。
【００２５】
その突起３２は、連結アーム３１を弾性変形させることにより、先端キャップ１６の外周面の先端近傍に形成された円周溝２８に係脱自在であり、その係脱によって、液体反射部材３０を先端キャップ１６に対して取り付け／取り外しすることができる。
【００２６】
円周溝状部２７を挟む先端キャップ１６の先端面と液体反射部材３０の後面は、いずれも軸線に垂直な平面に形成されており、液体回転室２０内で軸線周りに回転をして噴出孔１７から広がりながら噴出した液体が、液体反射部材３０の後面にぶつかって反射され（一部は、液体反射部材３０の後面にぶつからない）、大きく広がりながら３６０°全周方向に向かって放射状に噴霧される。
【００２７】
なお、二点鎖線で示される３０′及び３０″のように、液体反射部材３０の後面を凹面又は凸面等に形成することにより、噴出孔１７から噴出した液体の反射する方向や広がりを適宜に設定することができる。これは、他の実施の形態においても同様である。
【００２８】
図５は、本発明の第３の実施の形態の内視鏡用噴霧具の先端部分を示しており、液体回転室２０の後端壁を形成するノズル本体１１の前端面から噴出孔１７の中心位置に、尖った円錐形状の突起２４が突設されている。
【００２９】
液体反射部材３０は、上述の第２の実施の形態と同様に複数の連結アーム３１によって先端ノズル１に連結されているが、連結アーム３１が先端キャップ１６の外周面に沿って配置され、連結アーム３１の突端に形成された突起３２と係合する円周溝２８がノズル本体１１の外周面に形成されている。
【００３０】
図６は、本発明の第４の実施の形態の内視鏡用噴霧具の先端部分を示しており、図７はそのノズル本体１１の正面図である。この実施の形態においては、螺旋溝１２に代えて、ノズル本体１１の先側半部の外周面に直進溝１５を形成し、ノズル本体１１の先端壁面に斜め方向に向けて開口する斜行溝２１を、直進溝１５に連続して形成したものである。
【００３１】
直進溝１５と斜行溝２１は例えば１２０°間隔で三箇所に形成されており、送液管２を通って送られてきた液体が、斜行溝２１から液体回転室２０内に流れ込むことにより液体回転室２０内で軸線周りに回転するので、他の実施の形態の螺旋溝１２と同じ作用をする。液体反射部材３０は第１の実施の形態と同様のものが設けられている。
【００３２】
図８は、本発明の第５の実施の形態の内視鏡用噴霧具の先端部分を示しており、先端キャップ１６の先端面を皿状に凹んだ形状にして、液体反射部材３０もそれに合わせて頂角を狭めた円錐形に形成したものである。
【００３３】
したがって、その間に形成される円周溝状部２７は斜め前方を向いた形状になっており、このように円周溝状部２７の形状を適宜に選択することにより、全周に放射状に行われる噴霧の前後の方向を任意に設定することができる。
【００３４】
【発明の効果】
本発明によれば、噴出孔から噴出した液体を側方に向けて反射させるための液体反射部材を噴出孔の前方に配置したことにより、軸線周りに回転して広がりながら噴出孔から前方に噴出した液体が、液体反射部材にぶつかって側方に反射して、大きく広がりながら３６０°全周方向に放射状に噴霧するので、経内視鏡的に大腸の内壁面等のような管腔壁に対して液体を一様に噴霧することができる。
【図面の簡単な説明】
【図１】本発明の第１の実施の形態の内視鏡用噴霧具の先端部分の側面断面図である。
【図２】本発明の第１の実施の形態の内視鏡用噴霧具の全体構成を示す斜視図である。
【図３】本発明の第２の実施の形態の内視鏡用噴霧具の先端部分の側面断面図である。
【図４】本発明の第２の実施の形態の液体反射部材の斜視図である。
【図５】本発明の第３の実施の形態の内視鏡用噴霧具の先端部分の側面断面図である。
【図６】本発明の第４の実施の形態の内視鏡用噴霧具の先端部分の側面断面図である。
【図７】本発明の第４の実施の形態の内視鏡用噴霧具のノズル本体の正面図である。
【図８】本発明の第５の実施の形態の内視鏡用噴霧具の先端部分の側面断面図である。
【図９】従来の内視鏡用噴霧具の先端部分の側面断面図である。
【図１０】従来の内視鏡用噴霧具の先端部分の斜視図である。
【符号の説明】
１  先端ノズル
２  送液管
１１  ノズル本体
１２  螺旋溝（回転案内溝）
１６  先端キャップ
１７  噴出孔
２０  液体回転室
２１  斜行溝（回転案内溝）
２５  連結棒（連結部材）
２７  円周溝状部
３０  液体反射部材
３１  連結アーム（連結部材）
【図１】
0004373545.tif 000002
【図２】
0004373545.tif 000003
【図３】
0004373545.tif 000004
【図４】
0004373545.tif 000005
【図５】
0004373545.tif 000006
【図６】
0004373545.tif 000007
【図７】
0004373545.tif 000008
【図８】
0004373545.tif 000009
【図９】
0004373545.tif 000010
【図１０】
0004373545.tif 000011